(57)【要約】【課題】  ３次元ＣＡＤソフトに不慣れな者であっても短時間のトレーニングにより３次元形状を作成することを可能とする。【解決手段】  ３次元形状作成機能１と、３次元形状の作成手順を表示手段７に表示してナビゲーションするナビゲーション機能２とを備えており、ナビゲーション機能２は、３次元形状の作成手順をナビゲーションするためのウィンドウを有し、当該ウィンドウ内に３次元形状の作成手順を記載したページを表示する表示機能と、当該ページに記載されている作成手順をユーザが実行することで３次元形状作成機能の発現および／またはページの切り替えを実行する機能とを備えることにより、３次元形状の作成手順をナビゲーションする。【選択図】  図１
2005235114.tif 000002
【特許請求の範囲】
【請求項１】
３次元形状作成機能を備えたＣＡＤシステムであって、
３次元形状の作成過程を表示する表示手段と、
３次元形状の作成手順を前記表示手段に表示してナビゲーションするナビゲーション手段とを備えたことを特徴とする３次元ＣＡＤシステム。
【請求項２】
前記ナビゲーション手段は、３次元形状の作成手順をナビゲーションするためのウィンドウを有し、当該ウィンドウ内に３次元形状の作成手順を記載したページを表示する表示機能と、当該ページに記載されている作成手順をユーザが実行することで３次元形状作成機能の発現および／またはページの切り替えを実行する機能とを備えることにより、３次元形状の作成手順をナビゲーションすることを特徴とする請求項１に記載の３次元ＣＡＤシステム。
【請求項３】
３次元形状の作成手順を記載したページが当該ページ内にリンクを作成できる形式で作成されており、３次元形状作成機能の発現および／またはページの切り替えが起こる文章が当該リンクで表現されており、当該リンクをポインティングデバイスでクリックすることにより、３次元形状作成機能の発現および／またはページの切り替えが起こることを特徴とする請求項２に記載の３次元ＣＡＤシステム。
【請求項４】
３次元形状の作成手順を有する３次元ＣＡＤプログラムであって、３次元形状の作成手順を表示手段に表示してナビゲーションするナビゲーション処理手順を含むことを特徴とする３次元ＣＡＤプログラム。
【請求項５】
前記ナビゲーション処理手順は、３次元形状の作成手順をナビゲーションするためのウィンドウを表示するウィンドウ表示ステップと、当該ウィンドウ内に３次元形状の作成手順を記載したページを表示する表示ステップと、当該ページに記載されている作成手順をユーザが実行することで３次元形状作成機能の発現および／またはページの切り替えを実行するステップとを備えており、これらステップを実行することにより３次元形状の作成手順をナビゲーションすることを特徴とする請求項４に記載の３次元ＣＡＤプログラム。
【請求項６】
前記請求項４または請求項５に記載の３次元ＣＡＤプログラムを記録したコンピュータ読み取り可能な記録媒体。
【発明の詳細な説明】
【技術分野】
【０００１】
本発明は、３次元ＣＡＤソフトに不慣れな者であっても短時間のトレーニングにより３次元形状を作成することができる３次元ＣＡＤシステム及び３次元ＣＡＤプログラム並びに３次元ＣＡＤプログラムを記録した記録媒体に関する。
【背景技術】
【０００２】
従来の３次元ＣＡＤソフトは、２次元形状のスケッチ、押出や回転による３次元化、３次元形状同士の結合・カット・共通化、などの各種の設定方法が複雑であるにもかかわらず、３次元形状の作成手順は利用者が覚え込む必要が有るため、一般的に、長い時間トレーニングを積んだ熟練者、いわゆる３次元ＣＡＤオペレータのみが利用し得るものであった。また、年に数度程度利用する者にとっては、せっかくトレーニングを積んで操作方法を覚えても、次に利用する時には忘れていることも多く、もう一度操作方法を覚え直す必要があった。
【０００３】
しかしながら、熟練した３次元ＣＡＤオペレータに３次元形状を作成させると、一般的に、多大なコストがかかる。一方、製品の設計を本来の業務とする設計者が、長い時間をかけて３次元ＣＡＤソフトの操作を学習し、自ら３次元形状を作成するとなると、設計者の本来の業務の妨げとなり、結果として組織の利益損失にもつながる。利用するたびに学習し直さなければならないとすれば、更に損失は大きくなる。
【０００４】
一方、２次元ＣＡＤにおいては、不慣れな者であっても短時間のトレーニングにより所定の製図仕様に従ったＣＡＤ図面を作成することのできるＣＡＤソフトの技術が提案されている（例えば、特許文献１参照）。
【０００５】
このＣＡＤソフトは、描画機能を備えた２次元ＣＡＤソフト本体に付設される２次元ＣＡＤソフトであって、製図仕様に従った縮尺、レイヤー、線種線色等をあらかじめ定義する製図仕様定義データベースと、前記製図仕様に応じた各種の指令を選択・入力することを可能とする選択・入力手段と、当該選択．入力手段から選択、入力された指令に応じて前記製図仕様に対応した指令情報を前記２次元ＣＡＤソフト本体に送信して当該２次元ＣＡＤソフト本体側で実行させる作図支援手段とを備えた構成となっている。
【特許文献１】特開２００３−２３３６２７号公報
【発明の開示】
【発明が解決しようとする課題】
【０００６】
しかしながら、この特許文献１記載のＣＡＤソフトにおいても、本来の機能である形状作成行為自体については何も触れられておらず、表示手段もないため、形状作成行為自体についてはトレーニングが必要であり、上記した問題点、すなわち、製品の設計を本来の業務とする設計者が、長い時間をかけてＣＡＤソフトによる形状作成行為の操作を学習しなければならないといった問題が残されていた。このことは、３次元ＣＡＤソフトについても同様である。
【０００７】
本発明は係る問題点を解決すべく創案されたもので、その目的は、３次元ＣＡＤソフトに不慣れな者であっても短時間のトレーニングにより３次元形状を作成することができる３次元ＣＡＤシステム及び３次元ＣＡＤプログラム並びに３次元ＣＡＤプログラムを記録した記録媒体を提供することにある。
【課題を解決するための手段】
【０００８】
本発明の３次元ＣＡＤシステムは、３次元形状作成機能を備えたＣＡＤシステムであって、３次元形状の作成過程を表示する表示手段と、３次元形状の作成手順を前記表示手段に表示してナビゲーションするナビゲーション手段とを備えたことを特徴とする。
【０００９】
また、前記ナビゲーション手段は、３次元形状の作成手順をナビゲーションするためのウィンドウを有し、当該ウィンドウ内に３次元形状の作成手順を記載したページを表示する表示機能と、当該ページに記載されている作成手順をユーザが実行することで３次元形状作成機能の発現および／またはページの切り替えを実行する機能とを備えることにより、３次元形状の作成手順をナビゲーションする。
【００１０】
さらに、３次元形状の作成手順を記載したページがＨＴＭＬ形式等の当該ページ内にリンクを作成できる形式で作成されており、３次元形状作成機能の発現および／またはページの切り替えが起こる文書が当該リンクで表現されており、当該リンクをポインティングデバイスでクリックすることにより、３次元形状作成機能の発現および／またはページの切り替えが起こるようになっている。なお、ページの切り替えが起こる文書としてＨＴＭＬ形式を挙げているが、ＸＭＬ形式など、ページ内にリンクを作成できる形式ならば他の形式でも良い。
【００１１】
また、本発明の３次元ＣＡＤプログラムは、３次元形状の作成手順を有するコンピュータ読み取り可能な３次元ＣＡＤプログラムであって、３次元形状の作成手順を表示手段に表示してナビゲーションするナビゲーション処理手順を含むことを特徴とする。
【００１２】
また、前記ナビゲーション処理手順は、３次元形状の作成手順をナビゲーションするためのウィンドウを表示するウィンドウ表示ステップと、当該ウィンドウ内に３次元形状の作成手順を記載したページを表示する表示ステップと、当該ページに記載されている作成手順をユーザが実行することで３次元形状作成機能の発現および／またはページの切り替えを実行するステップとを備えており、これらステップを実行することにより３次元形状の作成手順をナビゲーションする。
【００１３】
なお、本発明の３次元ＣＡＤプログラムは、コンピュータ読み取り可能な記録媒体に格納して提供することができる。
【発明の効果】
【００１４】
本発明の３次元ＣＡＤシステム及び３次元ＣＡＤプログラムによれば、３次元ＣＡＤソフトウェアに不慣れな者であっても、ナビゲーション機能により３次元形状を容易に作成することができる。
【発明を実施するための最良の形態】
【００１５】
以下、本発明に係る３次元ＣＡＤシステム及び３次元ＣＡＤプログラム（以下、３次元ＣＡＤソフトとも言う）の実施の形態について、図面を参照して説明する。
【００１６】
図１は、本実施の形態に係る３次元ＣＡＤシステムの機能ブロック図を示している。
【００１７】
この３次元ＣＡＤシステムは、３次元形状作成機能１と、３次元形状の作成手順をナビゲーションするナビゲーション機能２とを備えている。ユーザーインターフェースとしては、形状表示ウィンドウ３、履歴ツリーウィンドウ４、ナビゲーションウィンドウ５を備えており、ディスプレイなどの表示手段６に表示される。また、ポインティングデバイスやキーボードなどの入力手段７を備えている。なお、３次元形状作成機能は、ほとんどの３次元ＣＡＤソフトが有しており、本発明の要部ではないため、ここでは説明を省略する
。
【００１８】
なお、本実施の形態に係る３次元ＣＡＤソフトのプログラム言語は任意のものでよい。例えば、特定の３次元ＣＡＤソフトに付属または適応して開発されたプログラム言語であるマクロ言語、ＶＢやＶＣなどの一般的なプログラム言語、javascriptやＶbscript などのスクリプト言語などを、単独または組み合わせて作成してもよい。
【００１９】
次に、本実施の形態に係る３次元ＣＡＤシステムの具体的処理動作について、図２ないし図２０に示す起動から各種形状の作成までの画面表示例を用いて説明する。ただし、作図対象である円筒等は単なる例示でありこれに限定されるものではない。
【００２０】
本実施の形態の３次元ＣＡＤソフトを起動すると、図２に示すような形状表示ウィンドウ３及びナビゲーションウィンドウ５が表示手段６に表示される。この段階では形状表示ウィンドウ３には何も表示されていない。また、ナビゲーションウィンドウ５には、「新規に作成する」、「続きを行う」の２種類の選択項目が用意されている。
【００２１】
次に、この図２に示す状態において、ナビゲーションウィンドウ５内の「新規に作成する」と記述されたリンクをマウスなどのポインティングデバイス７（以下、マウスと呼ぶ）でクリックすることにより、図３に示すように、履歴ツリーウィンドウ４が新たに表示され、形状表示ウィンドウ３は３次元形状描画の準備画面になり、ナビゲーションウィンドウ５は次のページに移行する。この時点でナビゲーションウィンドウ５には、「２次元スケッチ→３次元化」、「定型的な形状の作成」、「３次元ＣＡＤの読込」、「２次元ＣＡＤの読込→押出」、「２次元ＣＡＤの読込→回転」といった基本形状を作成するための５種類の選択項目が用意されている。
【００２２】
次に、この図３に示す状態において、例えばナビゲーションウィンドウ５内の「２次元スケッチ→３次元化」と記述されたリンクをマウスでクリックすることにより、ナビゲーションウィンドウ５は次のページに移行する。このときの状態が図４に示されている。この時点でナビゲーションウィンドウ５には、履歴ツリーウィンドウ４に表示された各平面からスケッチ平面の選択を促す説明が表示されている。
【００２３】
次に、この図４に示す状態において、履歴ツリーウィンドウ４で例えばＸＹ平面をマウスでクリックした後で、ナビゲーションウィンドウ５内の「次に進む」と記述されたリンクをマウスでクリックすることにより、３次元形状表示ウィンドウ３はＸＹ平面の視点になり、ナビゲーションウィンドウ５は次のページに移行する。このときの状態が図５に示されている。図５のナビゲーションウィンドウ５には、３次元化方法の選択項目として、「押出」、「回転」、「スイープ」、「らせん」の４種類の項目が用意されている。
【００２４】
次に、この図５に示す状態において、例えばナビゲーションウィンドウ５内の「押出」と記述されたリンクをマウスでクリックすることにより、ナビゲーションウィンドウ５は次のぺ−ジに移行する。このときの状態が図６に示されている。図６に示すナビゲーションウィンドウ５には、２次元スケッチと押出をこの順番で行う旨の説明が表示され、選択項目として「２次元スケッチ」、「押出３次元化」の２種類の項目が用意されている。
【００２５】
この図６に示す状態において、ナビゲーションウィンドウ５内の「２次元スケッチ」と記述されたリンクをマウスでクリックすることにより、ナビゲーションウィンドウ５は次のページに移行する。このときの状態が図７に示されているが、この時点では形状表示ウィンドウ３の円は作成されていない。また、ナビゲーションウィンドウ５には、２次元スケッチを描くためにユーザが選択する項目として、「直線」、「曲線」、「点」、「円」、「楕円」、「円弧」、「楕円弧」、「寸法の設定」、「幾何拘束の付与」、「線の分割
・延長・トリム」、「形状のコピー」、「形状の削除」、「スケッチ完了」の各項目が用意されている。ここで、「寸法の設定」、「幾何拘束の付与」、「線の分割・延長・トリム」、「形状のコピー」、「形状の削除」、「スケッチ完了」のいずれかの項目（リンク）をマウスでクリックすると、ナビゲーションウィンドウ５は次のページに移行することになる。
【００２６】
この図７に示す状態において、例えばナビゲーションウィンドウ５内の「円」と記述されたリンクをマウスでクリックした後で、形状表示ウィンドウ３で円を作成する。円の作成手順としては、円の中心としたい場所をマウスでクリックした後マウスをドラッグし、円が適当な大きさになった時にクリックで確定する。この手順はナビゲーションウィンドウ５内に記述されていないが、もちろん記述してもよい。
【００２７】
円を作成後、図７に示す状態において、ナビゲーションウィンドウ５内の例えば「寸法の設定」と記述されたリンクをマウスでクリックすることにより、ナビゲーションウィンドウ５は次のページに移行する。このときの状態が図８に示されているが、この時点では形状表示ウィンドウ３の寸法は作成されていない。また、ナビゲーションウィンドウ５には、選択項目として「距離を付ける」、「円・円弧・線に寸法を付ける」、「角度を付ける」、「寸法値を変更する」の４種類の項目が用意されている。
【００２８】
この図８に示す状態において、ナビゲーションウィンドウ５内の例えば「円・円弧・線に寸法を付ける」と記述されたリンクをマウスでクリックした後で、形状表示ウィンドウ３で描画した円をクリックすると寸法線が付き、もう一度クリックすると確定する。この手順はナビゲーションウィンドウ５内に記述されていないが、もちろん記述してもよい。
【００２９】
寸法を設定後、図８に示す状態において、ナビゲーションウィンドウ５内の例えば「寸法値を変更する」と記述されたリンクをマウスでクリックした後で、形状表示ウィンドウ３の寸法値をダブルクリックすると新たなウィンドウ３ａが現れ、このウィンドウ３ａ内に変更したい寸法を入力した後で「ＯＫ」をクリックすることにより、寸法値が変更される。この手順はナビゲーションウィンドウ５内に記述されていないが、もちろん記述してもよい。
【００３０】
寸法値を変更後、図８に示す状態において、ナビゲーションウィンドウ５内の「設定完了」と記述されたリンクをマウスでクリックすることにより、ナビゲーションウィンドウ５は前のページ、すなわち図７のページに移行する。
【００３１】
この状態において、ナビゲーションウィンドウ５内の「スケッチ完了」と記述されたリンクをマウスでクリックすることにより、ナビゲーションウィンドウ５は更に前のページ、すなわち図６のページに移行する。
【００３２】
この状態において、ナビゲーションウィンドウ５内の「押出３次元化」と記述されたリンクをマウスでクリックすると、ナビゲーションウィンドウ５が次のページに移行すると共に、新たなウィンドウ３ｂが現れ、このウィンドウ３ｂ内に「立ち上げ高さ」を入力した後で「ＯＫ」をクリックすることにより、３次元形状が作成される。このときの状態が図９に示されている。
【００３３】
この図９の状態において、形状表示ウィンドウ３で押出が成功したことを確認した後で、ナビゲーションウィンドウ５内の「次に進む」と記述されたリンクをマウスでクリックすることにより、ナビゲーションウィンドウ５は次のページに移行する。このときの状態が図１０に示されている。
【００３４】
図１０に示す状態以降は、作成した基本形状に対して形状を加工することになるが、基本形状の作成のように形状作成手順がナビゲーションされることに変わりはない。
【００３５】
例えば、図１０に示す状態において、ナビゲーションウィンドウ５内の「別の形状を追加する」と記述されたリンクをマウスでクリックすることにより、ナビゲーションウィンドウ５は次のページに移行する。このときの状態が図１１に示されている。図１１に示すナビゲーションウインドウ５の表示内容は、基本的に図３に示すナビゲーションウインドウ５の表示内容と同じであり、違うところは、「戻る」と記述されたリンクが付加されており、このリンクをマウスでクリックすることにより、ナビゲーションウィンドウ５が前のページ（図１０）に移行する点である。
【００３６】
この図１１に示す状態において、ナビゲーションウィンドウ５内の例えば「２次元スケッチ→３次元化」と記述されたリンクをマウスでクリックすることにより、ナビゲーションウィンドウ５は次のページに移行する。このときの状態が図１２に示されている。
【００３７】
この図１２に示す状態において、 履歴ツリーウィンドウ４で例えばＸＹ平面をクリックした後で、ナビゲーションウィンドウ５内の「次に進む」と記述されたリンクをマウスでクリックすることにより、３次元形状表示ウィンドウ３はＸＹ平面の視点になり、ナビゲーションウィンドウ５は次のページに移行する。このときの状態が図１３に示されている。
【００３８】
この図１３に示す状態において、形状表示ウィンドウ３に存在する３次元形状から平面の原点を選択した後で、ナビゲーションウィンドウ５内の「次に進む」と記述されたリンクをマウスでクリックすることにより、ナビゲーションウィンドウ５は次のページに移行する。このときの状態が図１４に示されている。
【００３９】
この図１４に示す状態において、ナビゲーションウィンドウ５内の例えば「回転」と記述されたリンクをマウスでクリックすることにより、ナビゲーションウィンドウ５は次のページに移行する。このときの状態が図１５に示されている。図１５に示すナビゲーションウィンドウ５には、２次元スケッチと回転軸の設定と回転３次元化とをこの順番で行う旨の説明が表示され、選択項目として「２次元スケッチ」、「回転軸の設定」、「回転３次元化」の３種類の項目が用意されている。
【００４０】
この図１５に示す状態において、ナビゲーションウィンドウ５内の「２次元スケッチ」と記述されたリンクをマウスでクリックすることにより、ナビゲーションウィンドウ５は次のページに移行する。このときの状態が図１６に示されているが、この時点では形状表示ウィンドウ３の台形は作成されていない。また、図１６に示すナビゲーションウインドウ５の表示内容は、図７に示すナビゲーションウインドウ５の表示内容と同じである。
【００４１】
この図１６に示す状態において、ナピゲーションウィンドウ５内の例えば「直線」と記述されたリンクをマウスでクリックした後で、形状表示ウィンドウ３で台形を作成する。台形の作成手順としては、始点としたい場所をマウスでクリックした後、一筆書きの要領でマウスを４回クリックし、右クリックで確定する。この手順はナビゲーションウィンドウ５内に記述されていないが、もちろん記述してもよい。
【００４２】
台形を作成後、図１６に示す状態において、ナビゲーションウィンドウ５内の「寸法の設定」と記述されたリンクをマウスでクリックすることにより、ナビゲーションウィンドウ５は次のページに移行する。このときの状態が図１７に示されているが、この時点では形状表示ウィンドウ３の寸法は作成されていない。
【００４３】
この図１７に示す状態において、ナビゲーションウィンドウ５内の「距離を付ける」と記述されたリンクをマウスでクリックした後で、形状表示ウィンドウ３で距離を付けたい２線もしくは線と点をクリックすると寸法線が付き、もう一度クリックすると確定する。この要領で台形の底辺及び高さに距離を付ける。この手順はナビゲーションウィンドウ５内に記述されていないが、もちろん記述してもよい。
【００４４】
この図１７に示す状態において、ナビゲーションウィンドウ５内の「角度を付ける」と記述されたリンクをマウスでクリックした後で、形状表示ウィンドウ３で角度を付けたい２線をクリックすると寸法線が付き、もう一度クリックすると確定する。この要領で台形に角度を付ける。この手順はナピゲーションウィンドウ５内に記述されていないが、もちろん記述してもよい。
【００４５】
距離及び角度を設定後、図１７に示す状態において、ナビゲーションウィンドウ５内の「寸法値を変更する」と記述されたリンクをマウスでクリックした後で、形状表示ウィンドウ３の寸法値をダブルクリックすると新たなウィンドウ３ｃが現れ、このウィンドウ３ｃ内に変更したい寸法を入力した後で「 ＯＫ」 をクリックすることにより、寸法値が変更される。この手順はナビゲーションウィンドウ５内に記述されていないが、もちろん記述してもよい。
【００４６】
寸法値を変更後、図１７に示す状態において、ナビゲーションウィンドウ５内の「設定完了」と記述されたリンクをマウスでクリックすることにより、ナビゲーションウィンドウ５は前のページ、すなわち図１６のページに移行する。
【００４７】
この状態において、ナビゲーションウィンドウ５内の「スケッチ完了」と記述されたリンクをマウスでクリックすることにより、ナビゲーションウィンドウ５は更に前のページ、すなわち図１５のページに移行する。
【００４８】
この状態において、ナビゲーションウィンドウ５内の「回転軸の設定」と記述されたリンクをマウスでクリックすると、ナビゲーションウィンドウ５は次のページに移行する．このときの状態が図１８に示されている。
【００４９】
この図１８に示す状態において、ナビゲーションウィンドウ５内の「線を作成する」と記述されたリンクをマウスでクリックした後で、形状表示ウィンドウ３で回転軸となる線を作成する。線の作成手順としては、始点と終点をマウスでクリックする。この手順はナピゲーションウィンドウ５内に記述されていないが、もちろん記述してもよい。
【００５０】
線を作成後、図１８に示す状態において、ナビゲーションウィンドウ５内の「距離を付ける」及び「寸法値を変更する」と記述されたリンクをマウスで順次クリックすることにより、台形の底辺と回転軸との距離を設定する。
【００５１】
この状態において、形状表示ウィンドウ３から回転軸としたい線をクリックした後で、ナビゲーションウィンドウ５内の「回転軸の設定」と記述されたリンクをマウスでクリックすることにより、線が回転軸として認識される。
【００５２】
この状態において、ナビゲーションウィンドウ５内の「設定完了」と記述されたリンクをマウスでクリックすることにより、ナビゲーションウィンドウ５は前のページ、すなわち図１５のページに移行する。
【００５３】
この状態において、ナビゲーションウィンドウ５内の「回転３次元化」と記述されたリンクをマウスでクリックすると、ナビゲーションウィンドウ５が図１９に示す次のページ
に移行すると共に、新たなウィンドウ３ｄが現れ、「回転角度」を入力した後で「ＯＫ」をクリックすることにより、３次元形状が作成される。このときの形状表示ウィンドウ３の状態が図１９に示されている。
【００５４】
この状態において、形状表示ウィンドウ３で回転が成功したことを確認した後で、ナビゲーションウィンドウ５内の「次に進む」と記述されたリンクをマウスでクリックすることにより、ナビゲーションウィンドウ５は次のページである形状加工のページに移行する。このときの状態が図２０に示されている。
【００５５】
この後も形状作成手順がナビゲーションされることに変わりはないため、説明は省略するが、最終的には、図２０に示す状態において、ナビゲーションウィンドウ５内の「完成」と記述されたリンクをマウスでクリックすることにより、終了することが出来る。
【００５６】
なお、上記実施の形態には明記してはいないが、ナビゲーション画面に「拡大」、「縮小」、「フィッ卜」など、一般の３次元ＣＡＤではアイコン形式で用意されていることが多いビュー機能を置いておくことも、もちろん可能である。
【００５７】
以上説明した３次元ＣＡＤシステムは、３次元形状の作成手順を対話形式で格納した３次元ＣＡＤプログラムによって実現されている。本発明の対象とするのは、このプログラムそのものであってもよいし、このプログラムがコンピュータで読み取り可能な記録媒体に格納されているものであってもよい。
【００５８】
本発明では、この記録媒体として、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。
【００５９】
ここで、上記プログラムメディアとしては、本体と分離可能に構成される記録媒体であって、ＦＤ（フレキシブルディスク）やＨＤ（ハードディスク）等の磁気ディスク系、ＣＤ−ＲＯＭ／ＭＯ／ＭＤ／ＤＶＤ等の光ディスク系、ＩＣカード／光カード等のカード系、マスクＲＯＭ、ＥＰＲＯＭ、ＥＥＰＲＯＭ、フラッシュＲＯＭ等による半導体メモリ系などがある。
【００６０】
また、本発明においては、インターネットを含む通信ネットワークと接続可能なシステム構成とはなっていないが、通信ネットワークと接続可能なシステム構成である場合には、通信ネットワークからプログラムをダウンロードするように流動的にプログラムを保持する記録媒体であってもよい。
【図面の簡単な説明】
【００６１】
【図１】本発明に係る３次元ＣＡＤシステムの機能ブロック図である。
【図２】本実施の形態に係る３次元ＣＡＤシステムの具体的処理動作を説明するための起動から各種形状の作成までのナビゲーション画面を示す説明図である。
【図３】本実施の形態に係る３次元ＣＡＤシステムの具体的処理動作を説明するための起動から各種形状の作成までのナビゲーション画面を示す説明図である。
【図４】本実施の形態に係る３次元ＣＡＤシステムの具体的処理動作を説明するための起動から各種形状の作成までのナビゲーション画面を示す説明図である。
【図５】本実施の形態に係る３次元ＣＡＤシステムの具体的処理動作を説明するための起動から各種形状の作成までのナビゲーション画面を示す説明図である。
【図６】本実施の形態に係る３次元ＣＡＤシステムの具体的処理動作を説明するための起動から各種形状の作成までのナビゲーション画面を示す説明図である。
【図７】本実施の形態に係る３次元ＣＡＤシステムの具体的処理動作を説明するための起動から各種形状の作成までのナビゲーション画面を示す説明図である。
【図８】本実施の形態に係る３次元ＣＡＤシステムの具体的処理動作を説明するための起動から各種形状の作成までのナビゲーション画面を示す説明図である。
【図９】本実施の形態に係る３次元ＣＡＤシステムの具体的処理動作を説明するための起動から各種形状の作成までのナビゲーション画面を示す説明図である。
【図１０】本実施の形態に係る３次元ＣＡＤシステムの具体的処理動作を説明するための起動から各種形状の作成までのナビゲーション画面を示す説明図である。
【図１１】本実施の形態に係る３次元ＣＡＤシステムの具体的処理動作を説明するための起動から各種形状の作成までのナビゲーション画面を示す説明図である。
【図１２】本実施の形態に係る３次元ＣＡＤシステムの具体的処理動作を説明するための起動から各種形状の作成までのナビゲーション画面を示す説明図である。
【図１３】本実施の形態に係る３次元ＣＡＤシステムの具体的処理動作を説明するための起動から各種形状の作成までのナビゲーション画面を示す説明図である。
【図１４】本実施の形態に係る３次元ＣＡＤシステムの具体的処理動作を説明するための起動から各種形状の作成までのナビゲーション画面を示す説明図である。
【図１５】本実施の形態に係る３次元ＣＡＤシステムの具体的処理動作を説明するための起動から各種形状の作成までのナビゲーション画面を示す説明図である。
【図１６】本実施の形態に係る３次元ＣＡＤシステムの具体的処理動作を説明するための起動から各種形状の作成までのナビゲーション画面を示す説明図である。
【図１７】本実施の形態に係る３次元ＣＡＤシステムの具体的処理動作を説明するための起動から各種形状の作成までのナビゲーション画面を示す説明図である。
【図１８】本実施の形態に係る３次元ＣＡＤシステムの具体的処理動作を説明するための起動から各種形状の作成までのナビゲーション画面を示す説明図である。
【図１９】本実施の形態に係る３次元ＣＡＤシステムの具体的処理動作を説明するための起動から各種形状の作成までのナビゲーション画面を示す説明図である。
【図２０】本実施の形態に係る３次元ＣＡＤシステムの具体的処理動作を説明するための起動から各種形状の作成までのナビゲーション画面を示す説明図である。
【符号の説明】
【００６２】
１  ３次元形状作成機能
２  ナビゲーション機能
３  形状表示ウィンドウ
４  履歴ツリーウィンドウ
５  ナビゲーションウインドウ
６  表示手段
７  入力手段（ポインティングデバイス）
【図１】
2005235114.tif 000003
【図２】
2005235114.tif 000004
【図３】
2005235114.tif 000005
【図４】
2005235114.tif 000006
【図５】
2005235114.tif 000007
【図６】
2005235114.tif 000008
【図７】
2005235114.tif 000009
【図８】
2005235114.tif 000010
【図９】
2005235114.tif 000011
【図１０】
2005235114.tif 000012
【図１１】
2005235114.tif 000013
【図１２】
2005235114.tif 000014
【図１３】
2005235114.tif 000015
【図１４】
2005235114.tif 000016
【図１５】
2005235114.tif 000017
【図１６】
2005235114.tif 000018
【図１７】
2005235114.tif 000019
【図１８】
2005235114.tif 000020
【図１９】
2005235114.tif 000021
【図２０】
2005235114.tif 000022